(57)【要約】本発明は、少なくとも１つの燃焼室充填物を内燃機関（１０）の停止期間中に形成し、内燃機関（１０）の後続の始動時に初めて点火する、火花点火式に作業する内燃機関（１０）の少なくとも１つの燃焼室（１２）の、燃料および空気から成る充填物を形成する方法に関する。本発明による方法は、停止期間中に、燃焼室充填物における高い燃料蒸気成分を形成する少なくとも１つの手段を講じることにより特徴付けられている。さらに、本発明は、この方法を制御するための制御装置にも関する。
2006525457.tif 000002
【特許請求の範囲】
【請求項１】
少なくとも１つの燃焼室充填物を内燃機関（１０）の停止期間中に形成し、内燃機関（１０）の後続の始動時に初めて点火する、火花点火式に作業する内燃機関（１０）の少なくとも１つの燃焼室（１２）の、燃料および空気から成る充填物を形成する方法において、停止期間中に、燃焼室充填物における高い燃料蒸気成分を形成する少なくとも１つの手段を講じることを特徴とする、内燃機関の始動特性を改善するための方法。
【請求項２】
高い燃料蒸気成分を形成する手段として、タンク排気弁（３０）を内燃機関（１０）の停止時に開放する、請求項１記載の方法。
【請求項３】
前記手段を、予め決められた温度閾値の上回り時にのみ講じる、請求項２記載の方法。
【請求項４】
多気筒の内燃機関（１０）において、燃料を停止期間中に、ピストン（１４）が内燃機関（１０）の静止時に作業サイクルまたは圧縮サイクルにある燃焼室（１２）のためだけに配量する、請求項１から３までのいずれか１項記載の方法。
【請求項５】
可変の弁制御を有する内燃機関（１０）において、燃焼室（１２）の出口弁（１８）を遅れて開放するか、またはまったく開放しない、請求項４記載の方法。
【請求項６】
多気筒の内燃機関（１０）において、燃料を停止期間中に、少なくとも１つの燃焼室（１２）のために配量し、未燃焼のまま燃焼室（１２）から押し出す、請求項１から３までのいずれか１項記載の方法。
【請求項７】
前記方法を、温度閾値の上回り時にのみ実施する、請求項６記載の方法。
【請求項８】
可変の圧縮比を有する内燃機関（１０）において、圧縮比を内燃機関（１０）の停止時に高める、請求項１から７までのいずれか１項記載の方法。
【請求項９】
圧縮比を始動時に減じる、請求項５記載の方法。
【請求項１０】
火花点火式に作業する内燃機関（１０）の少なくとも１つの燃焼室（１２）の、燃料および空気から成る充填物の形成を制御するための制御装置（２４）であって、少なくとも１つの燃焼室充填物が内燃機関（１０）の停止期間中に形成され、内燃機関（１０）の後続の始動時に初めて点火される形式のものにおいて、制御装置が、請求項１から９までのいずれか１項記載の方法を制御することを特徴とする、内燃機関の始動特性を改善するための装置。
【発明の詳細な説明】
【技術分野】
【０００１】
背景技術
本発明は、少なくとも１つの燃焼室充填物を内燃機関の停止期間中に形成し、内燃機関の後続の始動時に初めて点火する、火花点火式に作業する内燃機関の少なくとも１つの燃焼室の、燃料および空気から成る充填物を形成する方法に関する。さらに本発明は、そのような方法の実施を制御する制御装置に関する。
【０００２】
従来慣用の内燃機関は外力スタータ（Ｆｒｅｍｄｋｒａｆｔｓｔａｒｔｅｒ）の助けを借りて始動される。外力スタータ、一般には電動スタータが内燃機関を回し始める。内燃機関はそれに基づいて空気または燃料および空気から成る混合物をその燃焼室内に吸い込む。内燃機関のクランク軸が既に回転しているときに、燃焼室充填物が次々と点火されることにより、徐々にトルクが提供される。このトルクは内燃機関を自己の力で回し始める。
【０００３】
燃料を内燃機関の燃焼室内に直接噴射する内燃機関を始動するのに、電動モータ式のスタータなしに済ませる方法が公知である。始動トルクを形成するために、既に内燃機関の静止中に、燃料を、ピストンが作業位置にある燃焼室の空気充填物内に噴射する。引き続いて燃焼を点火する。燃焼は理想的には、内燃機関を回し始めるのに十分なトルクを形成する。
【０００４】
公知の方法の枠内で、燃料は最初の点火の直前に初めてシリンダの静的な空気充填物内に噴射される。噴射と点火との間の小さな時間的間隔は一般に、均質な燃料／空気混合物を達成するのに不十分である。均質な燃料／空気混合物とは、燃焼室充填物における燃料粒子のできるだけ均等な分布と理解される。
【０００５】
燃料を静的な空気体積内に噴射する公知の方法では、最初の燃焼時に、一般に空気過剰の燃料／空気混合物が達成されるにすぎない。空気過剰は、噴射される燃料の大部分が壁膜として冷たいシリンダ壁および冷たいピストン表面で凝縮することにより引き起こされる。さらに、噴射と点火との間の短い時間では、比較的小さな燃料滴だけが完全に蒸発することができる。
【０００６】
このことは総じて、加えられた燃料質量の大部分が燃焼に関与しないことにつながる。それゆえ、未燃焼の燃料が排ガス内に達する。結果として、高められたエミッションと、高めたれた固有の燃料消費とが生じる。さらに、燃焼室充填物の、潜在的な熱力学的なエネルギの、始動時に機械的な作業に変換される割合は、不十分な混合物準備のために、極めて小さい。その結果、内燃機関の始動特性は悪化する。このことは特に、始動特性の悪化が外力スタータ（例えば電動スタータ）により補償されるべきではないか、または補償されることができない場合に不都合である。
【０００７】
この背景から、本発明の課題は、内燃機関の始動特性を改善するための方法および制御装置を提供することである。
【０００８】
上記課題は、冒頭で述べた類の方法において、既に停止期間中に、燃焼室充填物における高い燃料蒸気成分を形成する少なくとも１つの手段を講じることにより解決される。
【０００９】
さらに上記課題は、冒頭で述べた類の制御装置において、制御装置がそのような方法を制御することにより解決される。
【００１０】
発明の利点
この特徴により、本発明の課題は完全に解決される。後の始動時に初めて点火される燃焼室充填物における高い燃料蒸気成分を形成することにより、空気から成る燃焼室充填物における燃料の均質な分布が達成される。結果として、燃焼室充填物の点火可能性は改善される。さらに、燃焼室内の燃料の、燃焼に関与する割合は拡大される。燃焼室充填物のより完全な燃焼により、有害物質エミッションが低減されながら、より多くのトルクが発生される。
【００１１】
始動特性の、結果として得られる改善は、内燃機関が例えば市街交通時の信号停止時に繰り返し停止されたり始動されたりするストップ・スタート・システムでのダイレクトスタート原理の実現を可能にする。この実現は、本発明により達成されるような、改善された始動特性による確実なダイレクトスタート能力を前提としている。
【００１２】
ただし、本発明は内燃機関の燃焼室内への燃料の直接噴射との関連での使用またはダイレクトスタート能力との関連での使用に限定されるものではない。本発明は、吸気管噴射を有するエンジンでも、ダイレクトスタート能力の有無に関わらず、一般に始動特性を改善し、かつ内燃機関の始動時のエミッションを低減するために使用されることもできる。改善された始動特性により、ストップ・スタート・機能は、外力スタータによる始動プロセスの支援時にも実現される。このストップ・スタート・機能は、改善された確実な始動特性のために、より広範囲のエンドユーザに受け入れられる。
【００１３】
有利には、高い燃料蒸気成分を形成する手段として、タンク排気弁を内燃機関の停止時に開放する。
【００１４】
この手段により、停止時の、内燃機関の最後の作業サイクルで、従来慣用のエンジン制御のように純粋な新鮮空気だけが吸い込まれるわけではなくなる。従来通り制御される内燃機関では、燃料噴射も点火もエンジン惰性運転（Ｍｏｔｏｒａｕｓｌａｕｆ）時に停止されている。その代わりに、この構成の枠内では、既に予混合された燃料／空気混合物がシリンダを通して掃気される。予混合された状態は、タンク排気弁の開放時に、空気が、燃料で負荷された活性炭フィルタを通して吸い込まれ、その際に燃料を受容することにより得られる。
【００１５】
タンク排気からの燃料／空気混合物の吸い込みの結果として、内燃機関の静止時に既に、均質化された混合物組成が内燃機関の燃焼室内に存在している。引き続いての始動プロセス時に、燃焼室充填物の完全燃焼を達成するために、燃料がまったく噴射される必要がないか、減じられた量の燃料が噴射されるだけでよい。ガス状の燃料または燃料蒸気の吸い込みと、これに由来する、液体の形で噴射される燃料量の減少とにより、ピストン壁およびシリンダ壁における燃料壁膜の形成は阻止されるか、または少なくとも減じられる。結果として、減じられた有害物質エミッションが始動時に発生するにすぎない。特に、始動期間中の炭化水素のエミッションは明らかに低減される。このことは内燃機関の固有の燃料消費も減少させる。
【００１６】
さらに有利には、前記手段を、予め決められた温度閾値の上回り時にのみ講じる。
【００１７】
原理的に、点火の停止を伴う内燃機関の停止時に、タンク排気からの燃料蒸気／空気混合物により燃焼室を掃気（パージ）することは、炭化水素が未燃焼のまま排ガス系内に達することにつながり得る。掃気が、予め決められた温度の上回り時にのみ実施されることにより、そのような炭化水素は排ガス系内で、十分に高温の、ひいては運転準備の整った触媒により転換され得ることが保証されることができる。
【００１８】
この構成の別の利点は、触媒が停止時にその都度なお、触媒内での未燃焼の炭化水素の発熱反応によるパルス状の熱供給を受ける点にある。このことは有利である。それというのも、スタート・ストップ・運転時に、触媒の運転温度が内燃機関の停止期間中に、それを下回ると十分な転換が保証されない最低温度以下に低下しないことが保証されなければならないからである。もし最低温度を下回ると、始動プロセス時に、場合によっては炭化水素が転換されず、そのエミッションは増加する。内燃機関の停止時にタンク排気弁を規定通り操作することにより、適当に、未燃焼の燃料／空気混合物は、触媒を加熱するために触媒に供給されることができる。これにより、内燃機関の静止中の触媒の冷却は遅延される。結果として、スタート・ストップ・運転でのストップ期間は効果的に延長されることができる。
【００１９】
有利には、多気筒の内燃機関において、燃料を停止期間中に、ピストンが内燃機関の静止時に作業サイクルまたは圧縮サイクルにある燃焼室のためだけに配量する。
【００２０】
この構成により、燃料が液体の形で燃焼室内に噴射されたとき、燃料の蒸発も改善されることができる。噴射する時間として、特に内燃機関の静止直前の揺動期間（Ａｕｓｐｅｎｄｅｌｐｈａｓｅ）が適している。この揺動期間では、いずれのピストンも圧縮上死点を通走していない。揺動期間とは、ピストンが点火の停止時にガスばね力に基づいて跳ね返る時間区分と理解される。
【００２１】
有利には、燃料を揺動期間中に、作業サイクル（圧縮上死点の後）または圧縮サイクル（圧縮上死点の前）にあるシリンダ内に噴射する。これにより、燃焼室内に閉じ込められた、空気および燃料から成る混合物が、ピストンの揺動中に、シリンダ内で交互に圧縮および膨張されることが達成される。これにより、シリンダ内で短期的な温度上昇が生ぜしめられる。この温度上昇は空気充填物内の燃料滴ならびに壁膜からの燃料の改善された蒸発を生ぜしめる。さらに、関与している両シリンダ内での局所的な交互の圧縮および膨張により、燃焼室内に乱流が形成される。この乱流は燃焼室内での燃料／空気混合物のより良好な均質化を必然的に伴う。
【００２２】
必要ならば、次の始動期間前または始動期間中に、アイドリング回転数に達するまで、異なるシリンダ内への単数または複数のさらなる燃料噴射により、さらなる燃料が、できる限り均質かつ完全な燃焼を達成するために配量されることができる。この端緒によっても、一般に始動時に存在する問題、例えば壁膜形成および高められた始動エミッションは効果的に低減されることができる。
【００２３】
別の有利な構成では、可変の弁制御を有する内燃機関において、燃焼室の出口弁を遅れて開放するか、またはまったく開放しない。
【００２４】
この構成により、燃焼室内での混合物の滞在時間は延長される。結果として、揺動中に、閉じ込められた燃料／空気混合物の小さな部分量が、早めに開弁した出口弁を通して排ガス系内に達するにすぎないことが達成される。逃げ出した燃料量は後続の始動期間中にもはや使用されず、それゆえ液体の燃料として噴射されなければならない。このことは新たな壁膜形成のリスクにつながる。このリスクは遅めの閉弁により軽減される。極端な事例では、出口弁がフル可変の弁制御時に完全に閉鎖されたままであることができる。
【００２５】
有利には、多気筒の内燃機関において、燃料を停止期間中に、少なくとも１つの燃焼室のために配量し、未燃焼のまま燃焼室から押し出す。
【００２６】
この構成により、触媒の望ましい加熱が達成されることができる。このために、燃料／空気混合物の小さな部分量が燃焼室から揺動期間中に適当に出口弁の早めの開弁により排ガス系内に圧送される。結果として、触媒内での発熱反応による触媒の加熱が生じる。これにより、触媒の冷却は効果的に遅延されることができる。このことはスタート・ストップ・運転時のより長いストップ期間を可能にする。
【００２７】
この構成は有利には、触媒内の転換開始の温度（ライトオフ温度）に相当する温度閾値の上回り時にのみ実施される。
【００２８】
さらに有利には、可変の圧縮比を有する内燃機関において、圧縮比を内燃機関の停止時に高める。
【００２９】
高められた圧縮比により、揺動期間中に個々の圧縮サイクルで、さらに高い温度上昇が生じる。これにより、燃料の蒸発はさらに促進される。
【００３０】
別の有利な構成の枠内では付加的に、圧縮比を始動時に減じる。
【００３１】
この構成が有する利点は、後続の始動時に減じられた圧縮作業が行われる点にある。このことは内燃機関の始動を促進する。
【００３２】
迅速な混合気準備およびコールドスタート時の未反応エミッションの効果的な低減のための補足的な端緒は、高い割合の高揮発性の成分を有する始動燃料（Ｓｔａｒｔｋｒａｆｔｓｔｏｆｆ）の使用により提供される。この始動燃料は専ら内燃機関の始動のために使用される。引き続いて、通常の燃料による運転に切り換えられる。
【００３３】
高い蒸気圧を有する高揮発性の始動燃料の使用が有する利点は、例えば揺動期間中の配量時に、交互の圧縮により、通常の燃料に比べてさらに大幅な蒸発が発生する点にある。その結果、後続の始動のための、さらに良好なかつ迅速な均質化および混合気準備が達成される。
【００３４】
上記手段は、燃焼室内での燃料／空気混合物のできるだけ最適な均質化および準備を達成するために互いに結び付けられることもできる。
【００３５】
制御装置の有利な構成は、制御装置が、少なくとも１つの前記方法を制御するようになっていることにより特徴付けられる。
【００３６】
別の利点は以下の説明および添付の図面から得られる。
【００３７】
前に挙げた特徴と、これからさらに述べる特徴とが、その都度記載された組み合わせだけではなく、別の組み合わせでまたは単独で、本発明の枠を逸脱することなく使用可能であることは自明である。
【００３８】
図面
本発明の実施例を図面に示し、以下に詳しく説明する。
図１：周辺機器を備えた内燃機関の概略的な部分断面図である。
図２：本発明による方法のプログラムの実施例を、内燃機関を制御するためのプログラムのフローチャートとして示す図である。
図３：始動燃料と通常燃料との間の切り換えが可能な燃料供給システムの概略図である。
【００３９】
実施例の説明
図１には概略的に、内燃機関１０の全体が部分的に断面されて示されている。
【００４０】
内燃機関１０は少なくとも１つの燃焼室１２を有している。燃焼室１２はピストン１４により可動にシールされる。燃焼室１２の、燃料／空気混合物ならびにこの燃料／空気混合物の燃焼に由来する燃焼済みの残留ガスから成る充填物は、少なくとも１つの入口弁１６および少なくとも１つの出口弁１８を介して制御される。このために、入口弁１６は入口弁調節器２０に連結されており、出口弁１８は出口弁調節器２２に連結されている。入口弁調節器２０も出口弁調節器２２も、カム軸として実現されていることができる。カム軸の位相は相互にかつ／または内燃機関１０のクランク軸に対して固定的に予め決められているか、または可変である。択一的に、入口弁調節器２０も出口弁調節器２２も、電磁式、電気液圧式または電気空気圧式のアクチュエータとして実現されていることもできる。これらのアクチュエータは制御装置２４により開弁および閉弁のために起動制御される。
【００４１】
入口弁１６が開弁し、ピストン１４が下降すると、空気または燃料および空気から成る混合物が吸気管２６から少なくとも１つの燃焼室１２内に吸い込まれる。吸い込まれた空気量に対して、適当な量の燃料が噴射弁２８を介して液体の燃料として配量されるか、またはタンク排気弁３０を介して蒸気状の燃料として配量される。噴射弁２８は図１では、燃料を直接少なくとも１つの燃焼室１２内に調量するように配置されている。ただし、この配置は絶対に必要なものではない。この配置に対して択一的に、噴射弁２８は、燃料を吸気管２６内に、例えば入口弁１６の手前で噴射するように配置されていることもできる。
【００４２】
タンク排気弁３０を介して、内燃機関１０に蒸気状の燃料が供給されることができる。この蒸気状の燃料は予め燃料タンク３２内で気化されており、一時的に活性炭フィルタ３４に収蔵される。タンク排気弁３０が開弁し、ピストン１４が下降し、かつ入口弁３０が開弁すると、燃料蒸気は活性炭フィルタ３４およびタンク３２から吸い出される。ばね負荷された通気弁３６を介して、外気がタンク３２および管路系内に追加流入することができる。その結果、燃料タンク３２の、吸気負圧による損傷は回避される。
【００４３】
燃焼室１２の、入口弁１６および出口弁１８の閉弁時に圧縮される空気および燃料から成る充填物は、点火プラグ３８により火花点火される。点火は制御装置２４の制御命令によりトリガされる。燃焼の終了後、一時的に下降するピストン１４は再び上昇に転じ、燃焼済みの残留ガスを、開弁した出口弁１８を介して排ガス系４０内に追い出す。
【００４４】
排ガス系４０は触媒４２を有している。触媒４２は触媒面４４を有している。触媒面４４で、排ガス中の有害物質は触媒により転換される。触媒４２はオプショナルに温度センサ４６に連結されていることができる。温度センサ４６は触媒４２内の温度を検出し、相応の信号を制御装置２４に送信する。ただし、そのような温度信号は、回転数、燃焼室１２の充填物量および点火時点といった内燃機関の運転パラメータから、制御装置２４内の数学的モデルにより形成されることもできる。温度、有利には触媒４２の温度をそのようなモデルにしたがって形成する場合、温度センサ４６は省略されることができる。
【００４５】
さらに、内燃機関１０は電動スタータ４８を装備している。電動スタータ４８はクランク軸歯車５０に連結されており、クランク軸歯車５０を介して内燃機関１０のクランク軸５２を駆動することができる。
【００４６】
本発明のオプショナルな構成の枠内で、内燃機関１０は可変の圧縮比を有している。周知のごとく、圧縮比εは、圧縮終了時容積と行程容積との合計を圧縮終了時容積で規格化したものに相当する。圧縮終了時容積は、ピストン１４が上死点にあるときの燃焼室１２の容積により定義されており、行程容積は、ピストン１４が上死点から下死点への運動（もしくは逆向きの運動）時に通過する容積により定義されている。
【００４７】
可変の圧縮比を実現するために、クランク軸５２は偏心的に偏心リング５４内に支承されていることができる。偏心リング５４はやはり回転可能に内燃機関１０のエンジンブロック内に支承されている。偏心リング５４はこの目的のために歯列５６を有している。歯列５６はアクチュエータ６０の歯列５８に噛み合っている。アクチュエータ６０は例えば電動モータであることができ、制御装置２４により制御される。偏心リング５４の回転により、クランク軸５２の、内燃機関１０内での支承の高さが変更される。クランク軸５２の支承が上方に移動させられると、圧縮終了時容積は縮小され、圧縮比は相応に高まる。これに対して、クランク軸５２および偏心リング５４の、図１に示した位置は、低い圧縮比に相当する。
【００４８】
図２には、本発明による方法の一実施例が、エンジン制御プログラムのフローチャートの形で示されている。これが図１に示した技術分野で制御装置２４により制御される。ステップ６２は、内燃機関１０の通常の運転中に進行するような、内燃機関１０を制御するためのプログラムに相当する。内燃機関を停止すべきときにすぐに、ステップ６４へと分岐する。ステップ６４で、点火プラグ３８による点火をトリガするための制御信号および噴射弁２８またはタンク排気弁３０を介した燃料配量をトリガするための制御信号の出力が遮断される。
【００４９】
引き続いて、オプショナルなステップ６６で、温度Ｔと温度閾値Ｔ＿Ｓとの比較が実施される。この温度比較の際に、結局重要なのは触媒４２の触媒面４４の温度である。本発明の構成の枠内で、燃焼室充填物における高い燃料蒸気成分を形成するさらなる手段は、温度Ｔが閾値Ｔ＿Ｓよりも高い場合にのみ講じられるべきである。閾値Ｔ＿Ｓは、この閾値の上側から触媒４２内の有害物質転換が起こり得るように設定されている。
【００５０】
既述の通り、触媒４２または触媒面４４の温度は直接温度センサ４６により測定されるか、または択一的に制御装置２４内のモデル算出により特定されることができる。
【００５１】
測定または算出により特定される温度Ｔが、閾値Ｔ＿Ｓよりも低ければ、ステップ６６での応答は否定され、ステップ６８に分岐する。ステップ６８は、燃焼室充填物における高い燃料蒸気成分を形成する手段をトリガすることなく内燃機関１０を停止することに相当する。この措置の理由は、内燃機関１０の停止時に燃焼室充填物における高い燃料蒸気成分を形成する手段をトリガすることが、内燃機関１０の排ガス系４０への炭化水素のエミッションにつながり得る点にある。そのような炭化水素が環境中に達することを阻止するために、このエミッションは、炭化水素が触媒４２内で無害の排ガス成分に転換されることができる場合にのみ許可される。このことは一般に、温度Ｔが閾値Ｔ＿Ｓを上回っている場合である。そのような場合に、ステップ６６での応答は肯定され、ステップ７０に分岐する。ステップ７０は、燃焼室充填物における高い燃料蒸気成分を形成する少なくとも１つの手段を、内燃機関１０の停止時にトリガする。
【００５２】
そのような手段は例えば、内燃機関１０の燃焼室１２に、内燃機関１０の惰性運転時に、蒸気状の燃料だけを活性炭フィルタ３４およびタンク３２のガス室から供給する点にあることができる。この目的のために、図２に示したステップ７０で、タンク排気弁３０が開放されるように起動制御される。それゆえ、内燃機関１０の最後の回転中に、燃料蒸気がタンク排気弁３０を介して燃焼室１２内に吸い込まれる。タンク排気弁３０を介して吸い込まれることができる燃料は既に蒸気状であるので、この手段により、燃焼室充填物における高い燃料蒸気成分が達成される。内燃機関１０の後続の再始動時に、燃焼室１２の、高い燃料蒸気成分を有する充填物は特に容易に点火され、内燃機関１０の先行の停止時に液体の燃料を噴射する事例に比べて、より完全に燃焼する。
【００５３】
タンク排気弁３０の開弁は、燃料蒸気が内燃機関１０の惰性運転時になお内燃機関１０の燃焼室１２内に吸い込まれるが、燃焼室１０から押し出されることのないように実施されることができる。そのような制御のために、タンク排気弁３０はほぼ内燃機関１０の静止直前に初めて開放される。これにより、内燃機関１０の燃焼室１２から排ガス系４０への炭化水素のエミッションは阻止されるか、または少なくとも減じられることができる。それゆえ、この種の制御は触媒温度が低い場合にも可能である。換言すれば、この種の制御は、図２に示したステップ６２，６４，７０の順序に関連付けられることができ、その結果、ステップ６６のオプショナルな温度応答はこの場合行われない。
【００５４】
ただし択一的には、まさに図２に示したステップ６６との関連で、タンク排気弁３０を既により早く内燃機関１０の停止中に開放することが有利であり得る。すなわち、タンク排気弁３０の適時的な開弁時に、燃料蒸気は、燃料タンク３２と活性炭フィルタ３４とタンク排気弁３０とから成るタンク排気系から、内燃機関の燃焼室１２内に吸い込まれ、未燃焼のまま、触媒４２を備えた排ガス系４０に押し出される。排ガス系４０内の未燃焼の炭化水素は、触媒４２の転換開始温度（ライトオフ温度）を上回っていれば、発熱性に触媒４２内で反応する。
【００５５】
これにより、既に上述の通り、触媒４２の冷却は少なくとも遅延されることができる。
【００５６】
タンク排気弁３０の制御に対して択一的にまたは補足的に、可変の弁制御を備えた内燃機関１０では、出口弁１８の閉弁が遅れて実施されるか、またはまったく実施されないことができる。この手段により、内燃機関１０の燃焼室１２内の燃料蒸気／空気混合物の滞留時間は延長され、未燃焼の炭化水素が排ガス系４０に達する可能性は縮小される。それゆえ、この種の出口弁制御は低温時に推奨される。
【００５７】
これに対して択一的に、温度Ｔがより高い場合に、燃焼室１２の出口弁１８がやはり、通常運転中に一般的な時点に比べて早く開放されることができ、それにより、未燃焼の炭化水素を排ガス系４０に導入することができる。この手段によっても、内燃機関１０の静止時の触媒４２の冷却は遅延されることができる。
【００５８】
タンク排気弁３０の起動制御および／または内燃機関１０の出口弁１８の変更された起動制御に対して択一的にまたは補足的に、多気筒の内燃機関では、燃料が停止期間中に、ピストン１４が内燃機関１０の静止時に作業サイクルまたは圧縮サイクルにある燃焼室１２のためだけに配量される。この手段により、停止時の内燃機関１０の揺動、つまり内燃機関１２のピストン１４の、燃焼室１２内のガスばねモーメントに基づく前後進は、圧縮サイクルおよび作業サイクル中に閉じ込められた燃焼室充填物の熱的な準備のために使用されることができる。
【００５９】
さらに択一的にまたは補足的に、可変の圧縮比を有する内燃機関１０では、圧縮比が内燃機関１０の停止時に高められることができる。それというのも、高められた圧縮比は、揺動時の温度上昇を生ぜしめるからである。このことはやはり、ピストンが圧縮サイクルまたは作業サイクルにある燃焼室内に閉じ込められた燃料／空気混合物の熱的な準備を改善する。可変の圧縮比を有する内燃機関１０では、内燃機関１０の停止時に高められた圧縮比が有利には、内燃機関１０の後続の再始動時に圧縮比を減じることと組み合わされる。再始動時の減じられた圧縮比は、再始動時に加えなければならない圧縮作業が減じられるという結果を有している。これにより全体的に、再始動後の内燃機関のより容易な立ち上がり（Ｈｏｃｈｌａｕｆｅｎ）、つまり再始動後のより迅速な回転数上昇が可能となる。
【図面の簡単な説明】
【００６０】
【図１】周辺機器を備えた内燃機関の概略的な部分断面図である。
【図２】本発明による方法のプログラムの実施例を、内燃機関を制御するためのプログラムのフローチャートとして示す図である。
【図３】始動燃料と通常燃料との間の切り換えが可能な燃料供給システムの概略図である。
【図１】
2006525457.tif 000003
【図２】
2006525457.tif 000004
【図３】
2006525457.tif 000005
【国際調査報告】
2006525457.tif 000006
2006525457.tif 000007
2006525457.tif 000008
2006525457.tif 000009